(57)【要約】      （修正有）【課題】製作精度、取付精度を吸収可能なテレスコカバーの製作が求められており、価格競争が激化し、非常に厳しい環境にある為、部品点数の少ないシンプルで破損しにくいテレスコカバーを提供する。【解決手段】産業機械の摺動面保護カバーでマシニング等による切粉、切削水等の飛散を防御する目的の互いに重ね合わせた複数の金属製ボックスから成るテレスコピックカバーに於いて固定ボックスＡ１、移動ボックスＡ２それぞれにマシニング等の可動を考慮した所要の長方形又は正方形の窓を設け、固定ボックスＡ１を除き少なくとも１つの移動ボックスＡ２、移動体固定ボックスＡ３がそれぞれのボックス間を連結する装置で、所要の長さに加工された矩形平面の金属製板材より成るプレートを組合わせた揺動式パンタグラフＢによって制御されＸ軸方向・Ｙ軸方向の両軸可動を成した事を特徴とするＸＹ一体型パネル式テレスコカバーＡ及び揺動式パンタグラフＢ。【選択図】図１
0003111364.tif 000002
【実用新案登録請求の範囲】
【請求項１】
産業機械の摺動面保護カバーでマシニング等による切粉、切削水等の飛散を防御する目的の互いに重ね合わせた複数の金属製ボックスから成るテレスコピックカバーに於いて固定ボックスＡ１、移動ボックスＡ２それぞれにマシニング等の可動を考慮した所要の長方形又は正方形の窓を設け、固定ボックスＡ１を除き少なくとも１つの移動ボックスＡ２、移動体固定ボックスＡ３が、マシニング等の動きに連動し、Ｘ軸方向・Ｙ軸方向の両軸可動を成した事を特徴とするＸＹ一体型パネル式テレスコカバーＡ。
【請求項２】
前記、請求項１に於いて固定ボックスＡ１を除き少なくとも１つの移動ボックスＡ２、移動体固定ボックスＡ３が、それぞれのボックス間を連結する揺動式パンタグラフＢによって制御されマシニング等の動きに連動し、Ｘ軸方向・Ｙ軸方向の両軸可動を成した事を特徴とするＸＹ一体型パネル式テレスコカバーＡ。
【請求項３】
前記、請求項２に於いて固定ボックスＡ１、移動ボックスＡ２、移動体固定ボックスＡ３のそれぞれのボックス間を連結する装置で、所要の長さに加工された矩形平面の金属製板材より成るプレートにセンター部および両サイド部にそれぞれセンター軸穴Ｂ１、サイド軸穴Ｂ２を設けたプレートを少なくとも２枚重ね、その重ねたプレートのセンター軸穴Ｂ１を貫通する金属製センターピンで係止して成る組立て部品を複数個組立て図５の如く組合わせた連鎖装置に於いて、固定ボックスＡ１、移動ボックスＡ２、移動体固定ボックスＡ３との支持部Ｆ１の揺動式パンタグラフＢに該当するサイド軸穴Ｂ２にローラー転動部又はレール等の駆動機構Ｃを設け、かつ移動体固定ボックスＡ３に設けたＦ３にパンタグラフ端末を止着し移動ボックスＡ２及び移動体固定ボックスＡ３がＸ軸方向・Ｙ軸方向の両軸可動に応じて、パンタグラフ自体が移動体固定ボックスＡ３に追従する如く成した事を特徴とする揺動式パンタグラフＢ。
【考案の詳細な説明】
【技術分野】
【０００１】  本考案は、主として工作機械の保護カバー、その他一般産業機械の保護カバーとして活用するものに関する。
【背景技術】
【０００２】  従来、マシニング等に使用するテレスコピックカバーは、多くの場合、図２に示す如くＸ軸カバー（右）Ｃ１、Ｘ軸カバー（左）Ｃ２、Ｙ軸カバーＣ３の各カバーから構成され、Ｘ軸方向・Ｙ軸方向の両軸可動を可能にしていた。【０００３】  しかし、前記構成では、Ｘ軸カバー（右）Ｃ１、Ｘ軸カバー（左）Ｃ２を可動させる為に、それぞれのカバーの荷重を支えるガイドレールＣ４を少なくとも上下１箇所づつ設ける必要があった。このガイドレールＣ４を設置する際、Ｘ軸カバー（右）Ｃ１、Ｘ軸カバー（左）Ｃ２の作動に際し、カバーの蛇行等に影響を及ぼす為、直角度、平行度等の位置出しに時間を要するという問題があった。Ｘ軸カバー（右）Ｃ１、Ｘ軸カバー（左）Ｃ２の設置に際しても、直角度、平行度を重視する必要があり、エンドユーザーでの設置に際しても時間を要していた。【０００４】  又、近年の激化する価格競争により部品点数の減少、作業時間の短縮は重要課題となっていた。又、同時に工作機械の移動速度に高速化に伴い、機械への負担を軽減する為、テレスコピックカバーの軽量化も避けられない状況になっている。
【考案の開示】
【考案が解決しようとする課題】
【０００５】  工作機械等の加工精度向上に伴い心臓部とも言える摺動面を保護する目的のテレスコピックカバーは、今や重要部品となりテレスコピックカバーの製作精度、取付精度が、機械の加工精度、テレスコカバーの寿命に影響を及ぼす程になっている。しかるに、取付精度を吸収する如く可能にし、エンドユーザーでのスムーズな取付作業を容易にすると共に取付時間短縮に貢献出来るテレスコカバーの提供すると同時に、その一方で価格競争が激化し、非常に厳しい環境にある為、部品点数の少ないシンプルで破損しにくいテレスコカバーの開発が必要であった。
【課題を解決するための手段】
【０００６】  かかる欠点を解消するため本考案者は鋭意改良を重ね、１つのボックスが、Ｘ軸方向・Ｙ軸方向の両軸可動を成した画期的な考案により、問題を解決すると共に実用上優れた性能を発揮するテレスコカバーを開発した。その内容について以下、図面に沿って説明する。
【実施例】
【０００７】  請求項１及び請求項２に記載のＸＹ一体型パネル式テレスコカバーＡの組付け図を図１に示す。図３、図４、図５に本考案の主体となす揺動式パンタグラフＢの正面図及び組付け図を示す。【０００８】  請求項１及び請求項２に記載のＸＹ一体型パネル式テレスコカバーＡ  図１に於いて、互いに重ね合わせた複数の金属製ボックスから成るテレスコピックカバーで固定ボックスＡ１、移動ボックスＡ２それぞれにマシニング等の可動を考慮した所要の長方形又は正方形の窓を設け、固定ボックスＡ１を除き少なくとも１つの移動ボックスＡ２、移動体固定ボックスＡ３が、マシニング等の動きに連動し、Ｘ軸方向・Ｙ軸方向の両軸可動を成した事を特徴とするＸＹ一体型パネル式テレスコカバーＡを示す。【０００９】  請求項２及び請求項３に記載の揺動式パンタグラフＢ  図３、図４、図５に於いて固定ボックスＡ１、移動ボックスＡ２、移動体固定ボックスＡ３のそれぞれのボックスを可動させる為、一般的なパンタグラフＤでは各ボックスがＤ１を支点に回転運動を発生し、安定した直線運動を得る事が出来なかった。【００１０】  そこで、考案者は可動式パンタグラフＥに着眼した。この事に依って前記ボックスの回転運動は解決され安定した直線運動を得る事が出来た。しかしながらもこの方式では、カバーの伸縮幅Ｅ２が大きく、カバーが最小寸法に縮んだ際、最低でもＥ２以上必要であった。近年、工作機械のコンパクト化に伴いカバー自体もコンパクト化が望まれていた。これを解決する為には、Ｅ２を最小に抑え、移動ボックスＡ２の数量を増加させる必要があった。【００１１】  鋭意改良の結果、一般的なパンタグラフＤと可動式パンタグラフＥを重ね合わせた揺動式パンタグラフＢを採用する事により、各ボックスの回転運動の制御は勿論の事、移動ボックスＡ２を増加させ、カバーの伸縮幅Ｆ２を最小に抑える事に成功した。【００１２】  次に、図４に於いて固定ボックスＡ１、移動ボックスＡ２、移動体固定ボックスＡ３との支持部Ｆ１に揺動式パンタグラフＢに該当するサイド軸穴Ｂ２にローラー転動部又はレール等の駆動機構Ｃを設け、かつ移動体固定ボックスＡ３に揺動式パンタグラフＢ端末を止着する事により支点Ｆ３を設け、移動ボックスＡ２及び移動体固定ボックスＡ３がＸ軸方向・Ｙ軸方向の両軸可動に応じて、揺動式パンタグラフＢ自体が移動体固定ボックスＡ３に追従する如く成した事を特徴とする揺動式パンタグラフＢを示す。【００１３】  次に、請求項１の組立方法について図１により説明する。先ず、金属から成る寸法の異なる固定ボックスＡ１、移動ボックスＡ２、それぞれにマシニング等の可動を考慮した所要の長方形又は正方形の窓を設け、使用環境に応じてその窓の周囲又は一部にボックスに付着する切削水、切粉を除去する目的のスクレーパーＡ４を設置し、固定ボックスＡ１、移動ボックスＡ２、移動体固定ボックスＡ３の順に重ねる事によって成るＸＹ一体型パネル式テレスコカバーＡ。【００１４】  次に、請求項２の組立方法について図４により説明する。前記、ＸＹ一体型パネル式テレスコカバーＡに揺動式パンタグラフＢを設置する為のローラー転動部又はレール等の駆動機構Ｃを設け（実施例では、摩擦抵抗を軽減する為、ロー���ーを採用した）、サイド軸穴Ｂ２にローラーを設たけ揺動式パンタグラフＢを前記、ＸＹ一体型パネル式テレスコカバーＡに設置し、揺動式パンタグラフＢの端末を移動体固定ボックスＡ３に設けた支点Ｆ３に固定して成るＸＹ一体型パネル式テレスコカバーＡ。【００１５】  図５に於いて、所要の長さに加工された矩形平面の金属製板材より成るプレートにセンター部および両サイド部にそれぞれセンター軸穴Ｂ１、サイド軸穴Ｂ２を設けたプレートを少なくとも２枚重ね、その重ねたプレートのセンター軸穴Ｂ１を貫通する金属製センターピンで係止して成る組立て部品を複数個組立て組合わせた連鎖装置に於いて、固定ボックスＡ１、移動ボックスＡ２、移動体固定ボックスＡ３との支持部Ｆ１にローラー転動部又はレール等の駆動機構Ｃを設け、かつ移動体固定ボックスＡ３に設けたＦ３にパンタグラフ端末を止着し移動ボックスＡ２及び移動体固定ボックスＡ３がＸ軸方向・Ｙ軸方向の両軸可動に応じて、パンタグラフ自体が移動体固定ボックスＡ３に追従する如く、形状を成した揺動式パンタグラフＢ。
【考案の効果】
【００１６】  本考案により、ガイドレールＣ４が無く、図６に示す様に極端な図ではあるが、テレスコピックカバー設置時に取付精度を以前程重視せずとも問題なく可動可能なテレスコピックカバーの構造に成功した。同時に、部品点数も激減し、製作時間短縮にも成功した。社内の作動試験に於いても優れた結果となり安定した追従性を示した。
【図面の簡単な説明】
【図１】  ＸＹ一体型パネル式テレスコカバーを示す斜視図である。
【図２】  従来カバーの構造を示す正面図である。
【図３】  パンタグラフの構造変化を簡略化した正面図である。
【図４】  揺動式パンタグラフの動き、構造を示す正面図である。
【図５】  ＸＹ一体型パネル式テレスコカバーを設置した状態を示す正面図である。
【符号の説明】
Ａ  ＸＹ一体型パネル式テレスコカバー    Ｂ  揺動式パンタグラフ
Ｃ  ローラー                            Ｄ  一般的なパンタグラフ
Ｅ  可動式パンタグラフ                  Ａ１  金属ブロック
Ａ２  移動ボックス                      Ａ３  移動体固定ボックス
Ａ４  ワイパー等                        Ｂ１  センター軸穴
Ｂ２  サイド軸穴                        Ｃ１  Ｘ軸カバー（左）
Ｃ２  Ｘ軸カバー（右）                  Ｃ３  Ｙ軸カバー
Ｃ４  ガイドレール                      Ｄ１  支点
Ｅ１  支点                              Ｅ２  カバー伸縮幅
Ｆ１  支点                              Ｆ２  カバー伸縮幅
Ｆ３  支点
【図１】
0003111364.tif 000003
【図２】
0003111364.tif 000004
【図３】
0003111364.tif 000005
【図４】
0003111364.tif 000006
【図５】
0003111364.tif 000007
【図６】
0003111364.tif 000008
【手続補正書】
【提出日】平成17年3月15日(2005.3.15)
【手続補正１】
【補正対象書類名】実用新案登録請求の範囲
【補正対象項目名】全文
【補正方法】変更
【補正の内容】
【実用新案登録請求の範囲】
【請求項１】
産業機械の摺動面保護カバーでマシニング等による切粉、切削水等の飛散を防御する目的の固定ボックスＡ１、移動ボックスＡ２、移動体固定ボックスＡ３これらを互いに重ね合わせた金属製ボックスから成るＸＹ一体型パネル式カバーに於いて固定ボックスＡ１及び移動ボックスＡ２にマシニング等の移動を考慮した所要の長方形又は正方形の窓を設け、使用環境に応じて、この長方形又は正方形の窓に切削水及び切粉を除去する目的の金属又は、弾性体のスクレーパーを設置し、移動体固定ボックスＡ３にマシニング等のスピンドル貫通窓を設け、固定ボックスＡ１を除き、移動ボックスＡ２及び移動体固定ボックスＡ３が、マシニング等の移動に連動する如く追従し、Ｘ軸方向・Ｙ軸方向の両軸可動は勿論、３６０度全方位可動を成した事を特徴とするＸＹ一体型パネル式カバー。
【請求項２】
前記、請求項１に於いて固定ボックスＡ１、移動ボックスＡ２、移動体固定ボックスＡ３これらの金属製ボックス間を連結する連鎖装置として揺動式パンタグラフをＸ軸、Ｙ軸の各辺に少なくとも１箇所設置し、移動体固定ボックスＡ３に揺動式パンタグラフ端末の止着点Ｅ１を設け、固定ボックスＡ１、移動ボックスＡ２、移動体固定ボックスＡ３それぞれのＸ軸、Ｙ軸の各辺に揺動式パンタグラフの駆動機構Ｂ４が摺動する為のガイドＡ４を設置し、このガイドＡ４と揺動式パンタグラフの駆動機構Ｂ４が接する支持点Ｅ２を２箇所設ける事で、可動時に於ける移動ボックスＡ２の回転運動を防止し、直線運動を向上させると共に、移動ボックスＡ２及び移動体固定ボックスＡ３がマシニング等の移動に連動する如く追従し、Ｘ軸方向・Ｙ軸方向の両軸可動は勿論、３６０度全方位可動を成した事を特徴とするＸＹ一体型パネル式カバー。
【請求項３】
前記、請求項２に於いて固定ボックスＡ１、移動ボックスＡ２、移動体固定ボックスＡ３これらの金属製ボックス間を連結する連鎖装置の揺動式パンタグラフは、所要の長さに加工された矩形平面の金属製板材より成るプレートにセンター部および両サイド部にそれぞれセンター軸穴Ｂ１、サイド軸穴Ｂ２、センター軸穴Ｂ１とサイド軸穴Ｂ２との中間に中間軸穴Ｂ３を設けたプレートを少なくとも２枚重ね、その重ねたプレートのセンター軸穴Ｂ１を貫通する金属製センターピンで係止して成る組立て部品を複数個組立てそれぞれの重ねたプレートの先端部を交互に広げ、前記組立て部品間の相隣り合う中間軸穴Ｂ３を重ね、その重ねたプレートの中間軸穴Ｂ３を貫通する金属製中間ピンで係止し、重なり合ったサイド軸穴Ｂ２を貫通する金属製サイドピンで係止し、かつ金属製サイドピン係止部を利用し駆動機構Ｂ４（実施例では、摩擦抵抗を考慮しローラーを設置）を設置して成る連鎖装置に於いて、前記、金属製サイドピン係止め部に駆動機構Ｂ４を設置する事により、移動ボックスＡ２及び移動体固定ボックスＡ３に追従する如く可動する事を特徴とする連鎖装置の揺動式パンタグラフ。
【手続補正２】
【補正対象書類名】明細書
【補正対象項目名】全文
【補正方法】変更
【補正の内容】
【考案の詳細な説明】
【技術分野】
【０００１】  本考案は、主として工作機械の保護カバー、その他一般産業機械の保護カバーとして活用するものに関する。
【背景技術】
【０００２】  従来、マシニング等に使用するテレスコピックカバーは、多くの場合、図２に示す如くＸ軸右カバーＣ１、Ｘ軸左カバーＣ２、Ｙ軸カバーＣ３の各カバーから構成され、マシニング等の移動に連動しＸ軸方向・Ｙ軸方向の両軸可動を可能にしていた。【０００３】  しかし、前記構成では、Ｘ軸右カバーＣ１、Ｘ軸左カバーＣ２の摺動部としてガイドレールＣ４を少なくとも上下１箇所づつ設ける必要があった。このガイドレールＣ４を設置する際、Ｘ軸右カバーＣ１、Ｘ軸左カバーＣ２の作動に際し、カバーの蛇行等に影響を及ぼす為、直角度、平行度等の位置出しに時間を要するという問題があった。Ｘ軸右カバーＣ１、Ｘ軸左カバーＣ２の設置に際しても、直角度、平行度を重視する必要があり、エンドユーザーでの設置に際しても時間を要していた。【０００４】  又、近年の激化する価格競争により部品点数の低減、作業時間の短縮は重要課題となっていた。又、同時に工作機械の移動速度に高速化に伴い、機械への負担を軽減する為、テレスコピックカバーの軽量化も避けられない状況になっている。
【考案の開示】
【考案が解決しようとする課題】
【０００５】  工作機械等の加工精度向上に伴い摺動面の保護及びマシンニング室とワーク室の境界壁として使用する目的のテレスコピックカバーは、今や重要部品となりテレスコピックカバーの製作精度、取付精度が、機械の加工精度、テレスピックコカバーの寿命に影響を及ぼす程になっている。しかるに、取付精度を吸収する如く可能にし、エンドユーザーでのスムーズな取付作業を容易にすると共に取付時間短縮に貢献出来るテレスコピックカバーを提供すると同時に、その一方で価格競争が激化し、非常に厳しい環境にある為、部品点数を低減したシンプルで破損しにくいテレスコピックカバーの開発が必要であった。
【課題を解決するための手段】
【０００６】    かかる欠点を解消するため本考案者は鋭意改良を重ね、図２に示すＸ軸右カバーＣ１、Ｘ軸左カバーＣ２、Ｙ軸カバーＣ３を一体化する事により、１つの金属製ボックスが、Ｘ軸方向・Ｙ軸方向の両軸可動は勿論、３６０度全方位可動を成した画期的な考案により、問題を解決すると共に実用上優れた性能を発揮するＸＹ一体型パネル式カバーを開発した。その内容について以下、図面に沿って説明する。
【実施例】
【０００７】  請求項１に記載のＸＹ一体型パネル式カバーの構成図を図１に示す。請求項２に記載の本考案主体となすＸＹ一体型パネル式カバーの背面構成図を図４、図５、に示す。【０００８】  請求項３に記載の揺動式パンタグラフの構成図を図３に示す。【０００９】  請求項１に記載のＸＹ一体型パネル式カバーの構成図、図１に於いて、マシニング等による切粉、切削水等の飛散を防御する目的の固定ボックスＡ１、移動ボックスＡ２、移動体固定ボックスＡ３これらを互いに重ね合わせた金属製ボックスから成るＸＹ一体型パネル式カバーに於いて固定ボックスＡ１及び移動ボックスＡ２にマシニング等の移動を考慮した所要の長方形又は正方形の窓を設け、使用環境に応じて、この長方形又は正方形の窓に切削水及び切粉を除去する目的の金属又は、弾性体のスクレーパーを設置し、移動体固定ボックスＡ３にマシニング等のスピンドル貫通窓を設け固定ボックスＡ１を除き、移動ボックスＡ２及び移動体固定ボックスＡ３が、マシニング等の移動に連動し、Ｘ軸方向・Ｙ軸方向の両軸可動は勿論、３６０度全方位可動を成した事を特徴とするＸＹ一体型パネル式カバーを示す。【００１０】  請求項２及び請求項３に記載の揺動式パンタグラフ  図３に於いて固定ボックスＡ１、移動ボックスＡ２、移動体固定ボックスＡ３これらの金属製ボックス間を連結する連鎖装置として考案した揺動式パンタグラフは、Ｘ軸、Ｙ軸の各辺に少なくとも１箇所設置し、移動体固定ボックスＡ３に揺動式パンタグラフ端末の止着点Ｅ１を設け、固定ボックスＡ１、移動ボックスＡ２、移動体固定ボックスＡ３それぞれのＸ軸、Ｙ軸の各辺に揺動式パンタグラフの駆動機構Ｂ４が摺動する為のガイドＡ４を設置し、このガイドＡ４と揺動式パンタグラフの駆動機構Ｂ４が接する支持点Ｅ２を２箇所設ける事で、可動時に於ける移動ボックスＡ２の回転運動を防止し、直線運動を向上させると同時に安定した動きを可能とする。移動ボックスＡ２及び移動体固定ボックスＡ３に追従する如く可動する事を特徴とする連鎖装置の揺動式パンタグラフを示す。【００１１】  図４は、揺動式パンタグラフが開いた状態を示す。図５は、揺動式パンタグラフが閉じた状態を示す。すなわち、移動体固定ボックスＡ３に設けた止着点Ｅ１を基準とし、揺動式パンタグラフが開いた状態又は閉じた状態に於いて、Ｘ軸方向及びＹ軸方向への移動を可能とする揺動式パンタグラフ。【００１２】  次に、図３に於いて、所要の長さに加工された矩形平面の金属製板材より成るプレートにセンター部および両サイド部にそれぞれセンター軸穴Ｂ１、サイド軸穴Ｂ２、センター軸穴Ｂ１とサイド軸穴Ｂ２との中間に中間軸穴Ｂ３を設けたプレートを少なくとも２枚重ね、その重ねたプレートのセンター軸穴Ｂ１を貫通する金属製センターピンで係止して成る組立て部品を複数個組立てそれぞれの重ねたプレートの先端部を交互に広げ、前記組立て部品間の相隣り合う中間軸穴Ｂ３を重ね、その重ねたプレートの中間軸穴Ｂ３を貫通する金属製中間ピンで係止し、重なり合ったサイド軸穴Ｂ２を貫通する金属製サイドピンで係止し、かつ金属製サイドピン係止部を利用し駆動機構Ｂ４（事例では、摩擦抵抗を考慮しローラーを設置）を設置して成る連鎖装置���於いて、前記、金属製サイドピン係止部に駆動機構Ｂ４を設置する事により、移動ボックスＡ２及び移動体固定ボックスＡ３に追従する如く可動する事を特徴とする連鎖装置の揺動式パンタグラフ。【００１３】  次に、請求項１の組立て方法について図１により説明する。先ず、マシニング本体と固定する固定ボックスＡ１、可動部分となる移動ボックスＡ２、移動ボックスＡ２は、マシニングの移動寸法に合わせ、１枚から複数枚設置（実施例では、３枚設置）、マシニング移動体と固定する移動体固定ボックスＡ３これらを互いに重ねあわせた集合体、ＸＹ一体型パネル式カバーを示す。【００１４】  次に、請求項２の組立て方法について図４により説明する。先ず、前記、請求項１に示す移動体固定ボックスＡ３に揺動式パンタグラフ端末の止着点Ｅ１を設け（実施例では２箇所）、固定ボックスＡ１、移動ボックスＡ２、移動体固定ボックスＡ３それぞれのＸ軸、Ｙ軸の各辺に揺動式パンタグラフの駆動機構Ｂ４が摺動する為のガイドＡ４を設置した状態に於いて互いを重ね合わせた集合体、ＸＹ一体型パネル式カバーに、連鎖装置として揺動式パンタグラフをＸ軸、Ｙ軸の各辺に少なくとも１箇所設置（実施例では２箇所）し、揺動式パンタグラフ端末を移動体固定ボックスＡ３に設けた止着点Ｅ１に止着し、揺動式パンタグラフの駆動機構Ｂ４を前記、ガイドＡ４に挿入し移動ボックスＡ２及び移動体固定ボックスＡ３に追従する如く可動する事を特徴とする揺動式パンタグラフ及びＸＹ一体型パネル式カバーを示す。【００１５】  請求項３の組立て方法について図３により説明する。所要の長さに加工された矩形平面の金属製板材より成るプレートに前記の如く、センター軸穴Ｂ１、サイド軸穴Ｂ２及び中間軸穴Ｂ３を設けたプレートを少なくとも２枚重ね、その重ねたプレートを金属製センターピン、金属製サイドピン、金属製中間ピンで係止しかつ金属製サイドピン係止部を利用し駆動機構Ｂ４（実施例では、摩擦抵抗を考慮しローラーを設置）を設置して成る集合体、揺動式パンタグラフを示す。
【考案の効果】
【００１６】  本考案により、図２に示すガイドレールＣ４を設置する事も無く、テレスコピックカバー設置時に取付精度を重視せずとも可動可能なテレスコピックカバーの製作に成功した。同時に、部品点数も現状製品と比較し４０％低減し、製作時間についても現状品と比較し１０時間の短縮に成功した。又、社内の作動試験に於いても高速運転で優れた追従性及び安定性を示した。
【図面の簡単な説明】
【００１７】
【図１】ＸＹ一体型パネル式カバーを示す構成図である。
【図２】従来カバーの構成を示す正面図である。
【図３】揺動式パンタグラフの斜視図
【図４】揺動式パンタグラフの開いた状態のカバー背面図である。
【図５】揺動式パンタグラフの閉じた状態のカバー背面図である。
【符号の説明】
【００１８】Ａ…ＸＹ一体型パネル式カバー、Ａ１…固定ボックス、Ａ２…移動ボックス、Ａ３…移動体固定ボックス、Ａ４…ガイド、Ｂ…揺動式パンタグラフ、Ｂ１…センター軸穴、Ｂ２…サイド軸穴、Ｂ３…中間軸穴、Ｂ４…駆動機構、Ｃ１…Ｘ軸右カバー、Ｃ２…Ｘ軸左カバー、Ｃ３…Ｙ軸カバー、Ｃ４…ガイドレール、Ｅ１…止着点、Ｅ２…支持点
【手続補正３】
【補正対象書類名】図面
【補正対象項目名】全図
【補正方法】変更
【補正の内容】
【図１】
0003111364.tif 000009
【図２】
0003111364.tif 000010
【図３】
0003111364.tif 000011
【図４】
0003111364.tif 000012
【図５】
0003111364.tif 000013